(57)【要約】【課題】電子ペンのペンＩＤとユーザＩＤとの関連付けを容易且つ適切に行うことが可能な電子ペンシステムを提供する。【解決手段】電子ペンと、記入用紙と、端末装置とを備える電子ペンシステムであって、記入用紙には、電子ペンにより記入がなされる第１エリアと、ペンＩＤとユーザＩＤとの関連付けのために利用される第２エリアとが設けられており、端末装置は、ペンＩＤと関連付けるべきユーザＩＤを特定し、その特定後に記入用紙の第２エリアについての位置座標及びペンＩＤを受信すると、当該ペンＩＤと、特定したユーザＩＤとを関連付け、それ以降に記入用紙の第１エリアについての位置座標及びペンＩＤを受信すると、当該ペンＩＤに関連付けられたユーザＩＤに関連付けて当該位置座標を記憶手段に記憶させる処理手段を備える。【選択図】図１
2014021911.tif 000002
【特許請求の範囲】
【請求項１】
用紙に印刷されたコード化パターンを読み取ってペン先部の位置座標を演算し、当該位置座標とペンＩＤとを送信する電子ペンと、
前記電子ペンにより読取可能なコード化パターンが印刷された記入用紙と、
前記電子ペンによって送信される位置座標とペンＩＤとを受信して、処理する端末装置とを備える電子ペンシステムであって、
前記記入用紙には、前記電子ペンにより記入がなされる第１エリアと、ペンＩＤとユーザＩＤとの関連付けのために利用される第２エリアとが設けられており、
前記端末装置は、
ペンＩＤと関連付けるべきユーザＩＤを特定し、その特定後に前記記入用紙の前記第２エリアについての位置座標及びペンＩＤを受信すると、当該ペンＩＤと、特定した前記ユーザＩＤとを関連付け、それ以降に前記記入用紙の前記第１エリアについての位置座標及びペンＩＤを受信すると、当該ペンＩＤに関連付けられたユーザＩＤに関連付けて当該位置座標を記憶手段に記憶させる処理手段を備えることを特徴とする電子ペンシステム。
【請求項２】
前記処理手段は、前記第１エリアについての位置座標及びペンＩＤを受信した場合において、そのペンＩＤがユーザＩＤと関連付けられていない場合、当該ペンＩＤに関連付けて前記第１エリアについての位置座標を前記記憶手段に記憶させ、
ユーザＩＤを特定して前記ペンＩＤと関連付けた際に、前記記憶手段を参照して、その関連付けの前に受信された、同じペンＩＤに関連付けられた第１エリアについての位置座標を、特定した前記ユーザＩＤと関連付けて前記記憶手段に記憶させることを特徴とする請求項１に記載の電子ペンシステム。
【請求項３】
前記処理手段は、ペンＩＤと関連付けるべきユーザＩＤを特定した後に、複数の電子ペンによって送信された前記第２エリアについての位置座標及びペンＩＤを受信すると、前記複数の電子ペンによって送信された複数のペンＩＤと、特定した前記ユーザＩＤとを関連付けることで、前記複数の電子ペンをグループ化することを特徴とする請求項１又は２に記載の電子ペンシステム。
【請求項４】
前記処理手段は、ペンＩＤと関連付けるべきユーザＩＤを特定した後に、前記第２エリア用紙についての位置座標及びペンＩＤを受信した場合において、そのペンＩＤが、特定した前記ユーザＩＤとは異なるユーザＩＤと既に関連付けられている場合、当該ペンＩＤに関連付けるユーザＩＤを、特定した前記ユーザＩＤに更新することを特徴とする請求項１乃至３のいずれか一項に記載の電子ペンシステム。
【請求項５】
前記処理手段は、ペンＩＤと関連付ける対象となっている複数のユーザＩＤに対応する記入者名が示されたリストを表示させ、前記リストにて選択された記入者名に対応するユーザＩＤを特定して、当該ユーザＩＤについてペンＩＤとの関連付けを行うことを特徴とする請求項１乃至４のいずれか一項に記載の電子ペンシステム。
【請求項６】
前記処理手段は、ペンＩＤと関連付ける対象となっている複数のユーザＩＤのそれぞれについて、ペンＩＤとの関連付けを順に行っていくことで、前記複数のユーザＩＤの全てについてペンＩＤとの関連付けを行うことを特徴とする請求項１乃至４のいずれか一項に記載の電子ペンシステム。
【請求項７】
前記処理手段は、ペンＩＤと関連付けるべきユーザＩＤを特定した後に、当該ユーザＩＤに関連付ける電子ペンによって前記第２エリアに記入することを促すメッセージを提示することを特徴とする請求項１乃至６のいずれか一項に記載の電子ペンシステム。
【請求項８】
前記処理手段は、ペンＩＤと関連付けるべきユーザＩＤを特定した後に、前記電子ペンから所定時間以内に前記第２エリアについての記入情報を受信した場合にのみ、当該記入情報に含まれるペンＩＤをユーザＩＤとの関連付けに用いることを特徴とする請求項１乃至７のいずれか一項に記載の電子ペンシステム。
【請求項９】
前記処理手段は、ペンＩＤと関連付けるべきユーザＩＤを特定した後に、所定本数の電子ペンから前記第２エリアについての記入情報を受信した場合にのみ、当該記入情報に含まれるペンＩＤをユーザＩＤとの関連付けに用いることを特徴とする請求項１乃至７のいずれか一項に記載の電子ペンシステム。
【請求項１０】
請求項１乃至９のいずれか一項に記載の電子ペンシステムにおける端末装置として機能させることを特徴とするプログラム。
【発明の詳細な説明】
【技術分野】
【０００１】
本発明は、電子ペンによって記入された手書きストロークを表示する技術分野に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１には、アノトペンが、用紙に印刷された所定のドットパターンを読み取って記入情報を生成し、当該記入情報を端末装置に送信することが開示されている。
【０００３】
他方で、特許文献２には、電子ペンごとに、ユーザ情報を区別する協調学習システムが開示されている。また、特許文献３には、記入者設定用紙（名簿用紙）を用いて、電子ペンとユーザとを関連付けることが開示されている。
【先行技術文献】
【特許文献】
【０００４】
【特許文献１】特許第３８７２４９８号公報
【特許文献２】特開２００９−２０３７３号公報
【特許文献３】特開２００９−２５１９２５号公報
【発明の概要】
【発明が解決しようとする課題】
【０００５】
ところで、特許文献３に記載されたような、記入用紙とは別の記入者設定用紙を用いることなく、電子ペンとユーザとを関連付けることができれば便宜である。そこで、本発明は、電子ペンのペンＩＤとユーザＩＤとの関連付けを容易且つ適切に行うことが可能な電子ペンシステム及びプログラムを提供することを主な目的とする。
【課題を解決するための手段】
【０００６】
本発明の１つの観点では、用紙に印刷されたコード化パターンを読み取ってペン先部の位置座標を演算し、当該位置座標とペンＩＤとを送信する電子ペンと、前記電子ペンにより読取可能なコード化パターンが印刷された記入用紙と、前記電子ペンによって送信される位置座標とペンＩＤとを受信して、処理する端末装置とを備える電子ペンシステムであって、前記記入用紙には、前記電子ペンにより記入がなされる第１エリアと、ペンＩＤとユーザＩＤとの関連付けのために利用される第２エリアとが設けられており、前記端末装置は、ペンＩＤと関連付けるべきユーザＩＤを特定し、その特定後に前記記入用紙の前記第２エリアについての位置座標及びペンＩＤを受信すると、当該ペンＩＤと、特定した前記ユーザＩＤとを関連付け、それ以降に前記記入用紙の前記第１エリアについての位置座標及びペンＩＤを受信すると、当該ペンＩＤに関連付けられたユーザＩＤに関連付けて当該位置座標を記憶手段に記憶させる処理手段を備える。
【０００７】
上記の電子ペンシステムによれば、端末装置は、ペンＩＤと関連付けるべきユーザＩＤを特定し、その特定後に記入用紙の第２エリアについての位置座標及びペンＩＤを受信すると、当該ペンＩＤと、特定したユーザＩＤとを関連付ける。そして、端末装置は、それ以降に記入用紙の第１エリアについての位置座標及びペンＩＤを受信すると、当該ペンＩＤに関連付けられたユーザＩＤに関連付けて、記入用紙の第１エリアについての位置座標を記憶手段に記憶させる。このような電子ペンシステムによれば、電子ペンによる記入用紙の第２エリアへのタップをトリガとして、ペンＩＤとユーザＩＤとの関連付けを適切に行うことができる。また、当該電子ペンシステムによれば、特許文献３に記載されたような記入者設定用紙を用いる必要がないため、ペンＩＤとユーザＩＤとの関連付けを容易に行うことができる。更に、当該電子ペンシステムによれば、記入者は、電子ペンで記入用紙の第２エリアをタップした後であれば、端末装置側でペンＩＤとユーザＩＤとの関連付けを行っている途中であっても、記入用紙の第１エリアへの記入を行うことができる。
【０００８】
また、上記の電子ペンシステムによれば、記入用紙についての位置座標には、ペンＩＤを介してユーザＩＤが端末装置に設定されるため、同じ電子ペンを複数の記入者が利用する場合であっても、異なる電子ペンを同じ記入者が利用する場合であっても、電子ペンを利用して記入した記入者と記入内容とを関連付けて記憶手段に記憶し、認識することができる。
【０００９】
上記の電子ペンシステムの一態様では、前記処理手段は、前記第１エリアについての位置座標及びペンＩＤを受信した場合において、そのペンＩＤがユーザＩＤと関連付けられていない場合、当該ペンＩＤに関連付けて前記第１エリアについての位置座標を前記記憶手段に記憶させ、ユーザＩＤを特定して前記ペンＩＤと関連付けた際に、前記記憶手段を参照して、その関連付けの前に受信された、同じペンＩＤに関連付けられた第１エリアについての位置座標を、特定した前記ユーザＩＤと関連付けて前記記憶手段に記憶させる。これにより、仮に、ペンＩＤとユーザＩＤとが関連付けられていない状態で、先に記入用紙の第１エリアに記入を始めたとしても、後でペンＩＤとユーザＩＤとを関連付ければ、端末装置では、その関連付けの前に受信された、同じペンＩＤに関連付けられた第１エリアについての位置座標に、特定したユーザＩＤを関連付けて遡及的に記憶手段に記憶させることができ、それ以降に第１エリアに記入されたことにより端末装置で取得する位置座標についても、同じユーザＩＤを関連付けて記憶手段に記憶させることができる。
【００１０】
上記の電子ペンシステムの他の一態様では、前記処理手段は、ペンＩＤと関連付けるべきユーザＩＤを特定した後に、複数の電子ペンによって送信された前記第２エリアについての位置座標及びペンＩＤを受信すると、前記複数の電子ペンによって送信された複数のペンＩＤと、特定した前記ユーザＩＤとを関連付けることで、前記複数の電子ペンをグループ化する。これにより、複数の電子ペンを用いて異なる記入者が記入用紙に記入する場合であっても、同じユーザＩＤを関連付けることにより、グループ化することができる。
【００１１】
上記の電子ペンシステムの他の一態様では、前記処理手段は、ペンＩＤと関連付けるべきユーザＩＤを特定した後に、前記第２エリアについての位置座標及びペンＩＤを受信した場合において、そのペンＩＤが、特定した前記ユーザＩＤとは異なるユーザＩＤと既に関連付けられている場合、当該ペンＩＤに関連付けるユーザＩＤを、特定した前記ユーザＩＤに更新する。これにより、同じ電子ペンを複数の記入者が利用する場合であっても、その電子ペンに対して適切なユーザＩＤを関連付けることができる。
【００１２】
上記の電子ペンシステムの他の一態様では、前記処理手段は、ペンＩＤと関連付ける対象となっている複数のユーザＩＤに対応する記入者名が示されたリストを表示させ、前記リストにて選択された記入者名に対応するユーザＩＤを特定して、当該ユーザＩＤについてペンＩＤとの関連付けを行う。これにより、端末装置の操作者は、リストを参照して、ペンＩＤと関連付けるべきユーザＩＤに対応する記入者名を適切に選択することができる。
【００１３】
上記の電子ペンシステムの他の一態様では、前記処理手段は、ペンＩＤと関連付ける対象となっている複数のユーザＩＤのそれぞれについて、ペンＩＤとの関連付けを順に行っていくことで、前記複数のユーザＩＤの全てについてペンＩＤとの関連付けを行う。これにより、端末装置の操作者が記入者名を選択することなく、端末装置側でユーザＩＤを自動で順次特定していくことで、複数のユーザＩＤの全てについてペンＩＤとの関連付けを行う。
【００１４】
上記の電子ペンシステムの他の一態様では、前記処理手段は、ペンＩＤと関連付けるべきユーザＩＤを特定した後に、当該ユーザＩＤに関連付ける電子ペンによって前記第２エリアに記入することを促すメッセージを提示する。このようなメッセージを提示することで、対象となっている記入者に対して、電子ペンによって第２エリアに記入することを適切に把握させることができる。なお、処理手段は、当該メッセージを含む画像を表示させたり、当該メッセージの内容を音声で出力したりする。
【００１５】
上記の電子ペンシステムの他の一態様では、前記処理手段は、ペンＩＤと関連付けるべきユーザＩＤを特定した後に、前記電子ペンから所定時間以内に前記第２エリアについての記入情報を受信した場合にのみ、当該記入情報に含まれるペンＩＤをユーザＩＤとの関連付けに用いる。これにより、ペンＩＤとユーザＩＤとを関連付けるために行われたものでない第２エリアへの記入により生成された記入情報のペンＩＤを、ユーザＩＤと関連付けてしまうことを抑制することができる。
【００１６】
上記の電子ペンシステムの他の一態様では、前記処理手段は、ペンＩＤと関連付けるべきユーザＩＤを特定した後に、所定本数の電子ペンから前記第２エリアについての記入情報を受信した場合にのみ、当該記入情報に含まれるペンＩＤをユーザＩＤとの関連付けに用いる。これにより、所定本数の電子ペンを適切にグループ化することができる。
【００１７】
本発明の他の観点では、プログラムは、上記電子ペンシステムにおける端末装置として機能させる。当該プログラムを実行することにより、上記の端末装置を実現することができる。
【発明の効果】
【００１８】
本発明によれば、電子ペンのペンＩＤとユーザＩＤとの関連付けを容易且つ適切に行うことが可能となる。
【図面の簡単な説明】
【００１９】
【図１】本実施形態に係る電子ペンシステムのシステム構成図である。
【図２】電子ペンシステムで利用される解答用紙を示す図である。
【図３】ドットパターンにおけるドットの配置と変換される値との関係を示す説明図である。
【図４】（ａ）は、ドットパターンを模式的に示し、（ｂ）は、それに対応する情報の例を示す図である。
【図５】電子ペンの構造を示す概略図である。
【図６】集約装置の機能ブロック図を含む電子ペンシステムのシステム構成図である。
【図７】（ａ）は、集約装置に記憶されたユーザエリア定義情報の一例を示し、（ｂ）は、集約装置に記憶されたユーザ定義情報の一例を示している。
【図８】（ａ）は、集約装置に記憶させる、ペン設定情報の一例を示す図、（ｂ）は、同じ電子ペンを複数の記入者が利用する場合のペン設定情報の一例を示す図、（ｃ）は、異なる電子ペンを同じ記入者が利用する場合のペン設定情報の一例を示す図である。
【図９】集約装置に記憶させる学習データのファイルの構造図である。
【図１０】ペン設定ボタンが選択されることでペン設定対象ユーザリストが表示された、描画アプリケーションウィンドウの一例を示す。
【図１１】ユーザ名が選択された後にメッセージボックスが表示された、描画アプリケーションウィンドウの一例を示す。
【図１２】ペンＩＤとユーザＩＤとの関連付けの終了時にメッセージボックスが表示された、描画アプリケーションウィンドウの一例を示す。
【図１３】複数のユーザＩＤの全てについてペンＩＤとの関連付けが完了した後に表示される描画アプリケーションウィンドウの一例を示す。
【図１４】記入情報への記入者ＩＤの設定機能を示す処理フローである。
【図１５】ペンＩＤとユーザＩＤの関連付け処理を示すフローである。
【図１６】記入情報への記入者ＩＤの設定機能を示す処理フローの他の例である。
【図１７】ペンＩＤとユーザＩＤとの関連付け後に解答用紙の解答欄に記入する場合の説明図である。
【図１８】図１７の使用態様に続いて、同じペンＩＤに対して別のユーザＩＤを関連付けて解答用紙の解答欄に記入する場合の説明図である。
【図１９】ペンＩＤとユーザＩＤとが関連付けられていない状態から、先行して解答用紙の解答欄に解答を記入してしまい、後で、ペンＩＤとユーザＩＤとを関連付けて続けて解答用紙の解答欄に記入する場合の説明図である。
【図２０】本集約装置におけるグループ化機能の説明図である。
【発明を実施するための形態】
【００２０】
以下、図面を参照しながら、本発明の実施の形態について説明する。
【００２１】
［電子ペンシステムのシステム構成］
図１は、本実施形態における電子ペンシステム１０のシステム構成図である。図１に示すように、電子ペンシステム１０は、複数の記入者（受講者）それぞれに配布される解答用紙（記入用紙）５Ａ、５Ｂ、…（５）と、解答用紙５に解答（筆跡）を記入し、記入した情報を外部へＢｌｕｅｔｏｏｔｈ（登録商標）等の無線通信方式で送信するための電子ペン１Ａ、１Ｂ、…（１）と、各電子ペン１から送信される記入情報を受信してディスプレイ（表示手段）に記入内容等を表示する集約装置（端末装置）２とを備える。
【００２２】
なお、図１では、集約装置２は、電子ペン１Ａ、１Ｂから直接、記入情報を受信しているが、記入される解答用紙５が多いために記入情報が送信される電子ペン１の本数が多い場合や、記入者が解答する会場が離れている等により無線通信の範囲外となるような場合は、他の電子ペン１Ｃ、１Ｄ、…から送信される記入情報を中継して集約装置２へ転送するための転送装置３を設ける。このとき、転送装置３から集約装置２へのデータの送信は、例えばＬＡＮ経由でＴＣＰ／ＩＰの通信方式で行うとよい。各電子ペン１には、アノトペンを利用することができ、集約装置２や転送装置３には、ラップトップパソコンなどを利用することができる。プロジェクタ４は、集約装置２から表示情報を受信して、集約装置２の画面をスクリーン６へ投影表示する装置である。
【００２３】
［解答用紙］
図２を参照して解答用紙（記入用紙）５について説明する。各解答用紙５には、その略全面に、それぞれ同じパターン（同じ座標範囲を示す）のドットパターン（コード化パターン）が印刷され、その上に、ユーザエリア５０１、５０２が規定されている。すなわち、各解答用紙（記入用紙）５のユーザエリア５０１におけるドットパターンにより示される座標範囲は同じであり、同様に、各解答用紙（記入用紙）５のユーザエリア５０２におけるドットパターンにより示される座標範囲は同じである（ユーザエリア５０１、ユーザエリア５０２それぞれのドットパターンに示される座標範囲は異なり、重なる範囲部分もない）。
【００２４】
ユーザエリア５０１は、電子ペン１によって記入がなされるエリアである。具体的には、ユーザエリア５０１には、問題などが印刷されていると共に、解答を記入するための欄や、所属（クラス）や名前を記入するための欄などが設けられている。ユーザエリア５０２は、ペンＩＤとユーザＩＤとの関連付けのために利用されるエリアであり、「登録」といった文字が印刷されている。記入者（受講者）は、後述するペン設定メッセージにて自分の名前が提示された際に（図１１参照）、解答用紙５のユーザエリア５０２に、電子ペン１のペン先部１０３でタップ（軽叩）する。ドットパターンは、赤外線を吸収するカーボンを含んだインキにより印刷され、記入欄や問題内容等の線や文字は、赤外域に吸収性を持たないインキにより印刷される。
【００２５】
なお、ユーザエリア５０１は本発明における「第１エリア」の一例であり、以下では、ユーザエリア５０１のことを「解答欄」と言い換えることもある。また、ユーザエリア５０２は本発明における「第２エリア」の一例であり、以下では、ユーザエリア５０２のことを「登録欄」と言い換えることもある。
【００２６】
［ドットパターン］
次に、図３と図４を参照しながら、解答用紙５に印刷されたアノト方式のドットパターン（コード化パターン）について説明する。図３は、解答用紙５に印刷されたドットパターンのドットと、そのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、解答用紙５上の位置座標が決定されるように構成されている。
【００２７】
図４（ａ）は、あるドットパターンの配列を示している。図４（ａ）に示すように、縦横約２ｍｍの範囲内に６×６個のドットが、解答用紙５上のどの部分から６×６ドットを取っても、ユニークなパターンとなるように配置されている。これら３６個のドットにより形成されるドットパターンは位置座標（例えば、そのドットパターンが解答用紙５上のどの位置にあるのか）を保持している。図４（ｂ）は、図４（ａ）に示す各ドットを、格子の基準位置からのシフト方向によって、図３に示す規則性に基づいて、対応づけられた値に変換したものである。この変換は、ドットパターンの画像を撮影する電子ペン１によって行われる。
【００２８】
［電子ペン］
次に、電子ペン１について図５を用いて説明する。図５は、電子ペン１の構造を示す概略図である。図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。
【００２９】
インクカートリッジ１０４の先端は、ペン先部１０３となっており、各記入者は、電子ペン１のペン先部１０３を、解答用紙５にタップしたり、解答用紙５に当接させながらストローク（手書きストローク）を記入したりする。なお、本明細書では、電子ペン１によるタップについても「記入」といった表現を用いるものとする。インクカートリッジ１０４のインクは、赤外線を吸収する材料（例えばカーボン）を含まないようにする。ここで、電子ペン１のペン先部１０３が解答用紙５に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。インクカートリッジ１０４のインクは、赤外線を吸収する材料を含まないので、プロセッサ１０３によるドットパターンの読取りを阻害しない。
【００３０】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、記入者が電子ペン１により解答用紙５に文字やマークを書いたり、解答用紙５にタップしたりする際にペン先部１０３からインクカートリッジ１０４を通じて与えられる圧力、即ち筆圧を検出し、その値をプロセッサ１０８へ伝送する。
【００３１】
プロセッサ１０８は、圧力センサ１０７から与えられる筆圧データに基づいて、ＬＥＤ１０５及びＣＭＯＳカメラ１０６のスイッチのオン／オフを切り替える。即ち、記入者が電子ペン１により解答用紙５にストロークを記入したりタップしたりすると、ペン先部１０３に筆圧がかかり、圧力センサ１０７によって所定値以上の筆圧が検出されたときに、プロセッサ１０８は、記入者が記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報として集約装置２へ送信する。また、記入者が１つのストロークを記入し終えて電子ペン１を解答用紙５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として集約装置２へ送信する。
【００３２】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙５上のペン先部１０３近傍に向けて赤外線を照明する。その領域は、ペン先部１０３が解答用紙５に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙５に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３３】
プロセッサ１０８は、記入者による記入が行われる間、ＣＭＯＳカメラ１０６によって供給される画像データのドットパターンから、記入者が記入するストローク（筆跡）の解答用紙５上におけるＸ、Ｙ座標（以後、単に「位置座標」や「座標データ」や「座標情報」と呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙５における６×６のドットパターンは、解答用紙５内で重複することはないため、記入者が電子ペン１で文字等を記入すると、記入された位置が解答用紙５上のどの位置に当たるかを、プロセッサ１０８による座標演算により特定することができる。
【００３４】
メモリ１０９には、各電子ペン１Ａ〜１Ｄを識別するためのそれぞれのペンＩＤ「ｐｅｎ０１」〜「ｐｅｎ０４」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として集約装置２へ送信する。通信ユニット１１１による集約装置２への送信は、Ｂｌｕｅｔｏｏｔｈ（登録商標）などの無線送信によって、即時的かつ逐次的に行われる。ここで、電子ペン１のペンダウンからペンアップまでの間に生成されて集約装置２に送信された１個又は複数個の座標属性情報は、集約装置２によりストローク情報として記憶される。換言すると、１つのストロークは、１個又は複数個のＸ、Ｙ座標（座標点）からなり、集約装置２は、ペンダウン情報及びペンアップ情報によって、１つのストロークを構成する１個又は複数個の座標属性情報を認識する。
【００３５】
このように、各電子ペン１Ａ〜１Ｄは、記入者が解答用紙５に記入する都度、記入情報を生成して、集約装置２へ送信する。言い換えると、各電子ペン１Ａ〜１Ｄは、記入者が解答用紙５に記入し続けている間、記入情報を生成し、集約装置２へ送信し続ける。そして、記入者が電子ペン１を解答用紙５から離す（ペンアップする）と、当該電子ペン１は、圧力センサ１０７で所定値以上の筆圧が検出されなくなったことにより、記入者が記入を停止したと判定する。そして、この場合、ペンアップされた電子ペン１は、ＬＥＤ１０５とＣＭＯＳカメラ１０６を停止して、集約装置２への記入情報の送信を中止する。
【００３６】
［転送装置］
図６を参照して転送装置３について説明する。図６に、転送装置３の機能ブロック図と集約装置２の機能ブロック図とを含む電子ペンシステム１０のシステム構成図を示す。
【００３７】
図６に示すように、転送装置３は、転送受信手段３１と転送送信手段３２とを備える。転送受信手段３１は、電子ペン１からＢｌｕｅｔｏｏｔｈ（登録商標）の無線通信方式で送信される記入情報等のデータを受信する手段である。転送送信手段３２は、転送受信手段３１によって受信した記入情報等のデータを集約装置２に送信する手段である。転送送信手段３２による集約装置２へのデータの送信は、例えばＬＡＮ経由でＴＣＰ／ＩＰの通信方式により行うと良い。
【００３８】
［集約装置］
続いて、集約装置２について説明する。図６に示すように、集約装置２は、入力手段２１、集約個別受信手段（受信手段）２２、集約転送受信手段（受信手段）２３、集約処理手段（処理手段）２４、記憶手段２５、表示手段２６、及び送信手段２７を備える。集約装置２は、ハードウェアとして、電子ペン１やプロジェクタ４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。また、集約装置２は、集約処理手段２４による描画アプリケーション（プログラム）の実行により、電子ペン１から受信した記入情報を処理して、表示手段２６に記入内容を再現する。
【００３９】
集約個別受信手段２２は、電子ペン１から送信された記入情報等のデータを受信する手段である。集約転送受信手段２３は、転送装置３から転送された記入情報等のデータを受信する手段である。集約個別受信手段２２及び集約転送受信手段２３は、アンテナや受信回路等により構成される。
【００４０】
入力手段２１は、処理や表示の種別を含む処理態様を指示する手段であり、キーボードやマウスなどにより構成される。送信手段２７は、表示手段２６に表示される内容と同じ内容をプロジェクタ４に表示させるため、表示手段２６への表示信号を同期してプロジェクタ４へ送信する手段である。
【００４１】
記憶手段２５は、ＲＯＭやＲＡＭ、ハードディスクなどのメモリによって構成され、解答用紙５における各ユーザエリアと位置座標とを関連付けて記憶する。すなわち、図７（ａ）に示すように、記憶手段２５は、ユーザエリア５０１、５０２ごとに、エリア種別と位置座標の範囲とを関連付けたユーザエリア定義情報を記憶している。ユーザエリアの範囲は、「（ｘｎ、ｙｎ）、Ｈｎ、Ｗｎ」といった具合に、解答用紙５における座標（ｘｎ、ｙｎ）から高さ（Ｙ）方向Ｈｎ、横（Ｘ）方向Ｗｎの範囲で規定される。具体的には、ユーザエリア５０１は、その範囲が「（ｘ１、ｙ１）、Ｈ１、Ｗ１」であって、そのエリア種別は「解答欄」として記憶されており、ユーザエリア５０２は、その範囲が「（ｘ２、ｙ２）、Ｈ２、Ｗ２」であって、そのエリア種別は「登録欄」として記憶されている。
【００４２】
また、記憶手段２５は、図７（ｂ）に示すように、ユーザＩＤとユーザ名とをユーザ定義情報として関連付けて記憶する。例えば、記憶手段２５は、ユーザＩＤ「Ｕ０１」とユーザ名「太郎」とを関連付けて記憶する。
【００４３】
また、記憶手段２５は、各電子ペン１によって送信されてきた記入情報に基づいて後述する集約処理手段２４が当該電子ペン１のペンＩＤに記入者ＩＤを関連付けると、そのペンＩＤと記入者ＩＤとの対応付け情報を、図８に示すようなペン設定情報として記憶する。さらに、記憶手段２５は、各電子ペン１から受信された記入情報ごとに、集約処理手段２４が記入者ＩＤを対応付けると、その記入情報を、記入者ＩＤごとに識別して記憶する。なお、図８の各図について後述する。
【００４４】
記憶手段２５には、集約処理手段２４による描画アプリケーション（プログラム）の実行により、ファイル形式で学習データが保存される。図９は、データのファイル形式の概略的な構造を示している。図９に示すように、学習データは、ファイル属性情報と、記入者ＩＤ別の個人学習データとを有する。ファイル属性情報には、作成日時情報が含まれている。また、個人学習データには、記入者ＩＤと、電子ペン１から送信された記入情報の位置座標情報等を含むユーザストローク情報と、解答内容等に応じてカテゴライズのために利用者によって設定されるユーザ色（分類）情報やキーワード情報等が含まれている。ユーザストローク情報は、電子ペン１が演算した位置座標（ＸＹ座標）情報、記入された時の時刻情報、及び筆圧情報が含まれる。ファイルデータを読み込む際には、入力手段２１によって、記入者ＩＤ、ユーザ色情報、キーワード情報などを入力して、集約処理手段２４によって特定のデータを検索させ、ユーザストローク情報を表示手段２６に再現させることができる。
【００４５】
集約処理手段２４は、電子ペン１からのデータを集約して処理する手段であり、アプリケーションプログラムの実行により機能を発揮するＣＰＵ等のプロセッサによって構成されている。この集約処理手段２４は、ペンＩＤと関連付けるべきユーザＩＤを特定し、その特定後に、電子ペン１による解答用紙５のユーザエリア５０２への記入により生成された記入情報を受信すると、当該記入情報に含まれるペンＩＤと、特定したユーザＩＤとを関連付ける。具体的には、まず、集約処理手段２４は、描画アプリケーションによる画面上に、ペンＩＤとユーザＩＤとを関連付けるためのペン設定ボタンを表示させ、ペン設定ボタンが選択されると、ペンＩＤと関連付ける対象となっている複数のユーザＩＤのそれぞれに対応するユーザ名が示されたペン設定対象ユーザリストを表示させる（図１０参照）。次に、集約処理手段２４は、ペン設定対象ユーザリストに示された複数のユーザ名から一のユーザ名が選択された際に、そのユーザ名に対応するユーザＩＤを特定すると共に、描画アプリケーションによる画面上に、当該ユーザＩＤに関連付ける電子ペン１によって解答用紙５のユーザエリア５０２（登録欄）にタップすることを促すメッセージ（以下では適宜「ペン設定メッセージ」と呼ぶ）を表示させる（図１１参照）。
【００４６】
次に、集約処理手段２４は、電子ペン１から位置座標及びペンＩＤ等を含む記入情報を受信すると、記憶手段２５の図７（ａ）に示すユーザエリア定義情報でユーザエリアと位置座標の範囲との関係を参照して、解答用紙５上のユーザエリア５０２（登録欄）に電子ペン１でタップされた記入情報であることを特定すると、その記入情報に含まれるペンＩＤと、上記のように特定したユーザＩＤとを関連付け、図８に示すペン設定情報として記憶手段２５に記憶させる。この場合、集約処理手段２４は、ペン設定メッセージの表示後（ユーザＩＤの特定後としても良い）に所定時間以内に受信された記入情報に含まれるペンＩＤのみを、ユーザＩＤとの関連付けに用いる。このような関連付けが終了すると、集約処理手段２４は、ペンＩＤとユーザＩＤとの関連付けが終了したことを示すメッセージ（以下では適宜「関連付け終了メッセージ」と呼ぶ）を表示させる（図１２参照）。
【００４７】
なお、ペン設定対象ユーザリストには「全ユーザ」といった選択肢も用意され、「全ユーザ」が選択された場合には、集約処理手段２４は、上記したようなペンＩＤとユーザＩＤとの関連付けの処理を、ペンＩＤと関連付ける対象となっている複数のユーザＩＤの各々について順に行っていくことで、複数のユーザＩＤの全てについてペンＩＤとの関連付けを行う。
【００４８】
集約処理手段２４は、上記のようにペンＩＤとユーザＩＤとを関連付けた後に、電子ペン１から位置座標及びペンＩＤ等を含む記入情報を受信すると、記憶手段２５の図７（ａ）に示すユーザエリア定義情報でユーザエリアと位置座標の範囲の関係を参照して、解答用紙５上のユーザエリア５０１（解答欄）に電子ペン１でタップないし記入された記入情報であることを特定すると、記憶手段２５に記憶されたペン設定情報を参照して、その記入情報に含まれるペンＩＤに関連付けられた記入者ＩＤを特定して、解答用紙５のユーザエリア５０１についてのストローク情報に関連付けて、記憶手段２５における記入者ＩＤ別のユーザストローク情報格納領域に記憶させる。したがって、解答用紙５のユーザエリア５０１についての位置座標には、ペンＩＤを介して記入者ＩＤが集約装置２に設定されるため、同じ電子ペン１を複数の記入者が利用する場合（図８（ｂ）参照）であっても、異なる電子ペン１を同じ記入者が利用する場合（図８（ｃ）参照）であっても、電子ペン１を利用して記入した記入者と記入内容とを関連付けて記憶手段２５に記憶し、認識することができる。
【００４９】
なお、集約処理手段２４は、解答用紙５のユーザエリア５０１についての記入情報を受信した場合において、当該記入情報に含まれるペンＩＤがユーザＩＤと関連付けられていない場合、記入者ＩＤとして当該ペンＩＤを関連付けて記憶手段２５に記憶させるとともに、解答用紙５のユーザエリア５０１についてのストローク情報に、記入者ＩＤとして当該ペンＩＤを関連付けて記憶手段２５におけるユーザストローク情報格納領域に記憶させる。そして、後で、ユーザＩＤを特定してペンＩＤと関連付けした際に、集約処理手段２４は、記憶手段２５の学習データファイルを参照して、その関連付けの前に受信された、記入者ＩＤとして同じペンＩＤに関連付けられた解答用紙５のユーザエリア５０１についてのストローク情報を、特定したユーザＩＤを記入者ＩＤとして新しく関連付けて、記憶手段２５におけるユーザストローク情報格納領域に記憶させる。したがって、仮に、ペンＩＤとユーザＩＤとを関連付ける前に解答用紙５のユーザエリア５０１に記入を始めたとしても、後で、ペンＩＤとユーザＩＤとを関連付ければ、集約装置２では、処理手段２４によって、特定したユーザＩＤをユーザエリア５０１についての位置座標に関連付けて遡及的に記憶手段２５に記憶させることができ、それ以降にユーザエリア５０１に記入されたことにより集約装置２で取得する位置座標についても、同じ記入者ＩＤを関連付けて記憶手段２５に記憶させることができる。
【００５０】
また、集約処理手段２４は、解答用紙５のユーザエリア５０１についてのストローク情報を含む学習データに基づいて、表示手段２６に記入内容を表示させるとともに、記入者ＩＤとして関連付けられているユーザＩＤに対応するユーザ名を表示させる。表示手段２６に電子ペン１による記入内容と、ユーザＩＤに対応するユーザ名とが表示されるため、集約装置２の操作物は、記入者とその者による記入内容とを合わせて認識することができる。また、集約処理手段２４は、表示手段２６と同じ内容を同期させて、プロジェクタ４に表示させるため、表示手段２６に対する表示信号と同じ信号を送信手段２７に対してプロジェクタ４へ向けて送信させる。
【００５１】
以下では、集約処理手段２４の特定の機能について、詳細に説明する。
【００５２】
［描画アプリケーションによる画面表示］
次に、図１０乃至図１３を参照して、表示手段２６の表示画面に表示された描画アプリケーションに基づくウィンドウ（「描画アプリケーションウィンドウ」とも呼ぶ。）の具体的について説明する。ここでは、主に、ペンＩＤとユーザＩＤとの関連付けが行われる際に表示される画面例を示す。
【００５３】
図１０は、描画アプリケーションウィンドウにおいて、ペン設定ボタン２０１が選択された際に表示されるペン設定対象ユーザリスト２０２を示している。まず、ペン設定ボタン２０１及びペン設定対象ユーザリスト２０２を説明する前に、描画アプリケーションウィンドウにおける基本的な構成について説明する。
【００５４】
電子ペン１で解答用紙５のユーザエリア５０１に記入された際に生成された記入情報に基づいて、集約装置２で記憶手段２５に個別学習データとして記憶したユーザストローク情報は、集約処理手段２４によって、表示手段２６のユーザストローク情報表示領域５０に描画される。描画するユーザストローク情報が、拡大表示などでユーザストローク情報表示領域５０よりも大きい場合、集約処理手段２４は、横スクロールバー５１及び縦スクロールバー５２を有効とし、ユーザストローク情報全体を表示できるようにする。
【００５５】
なお、図１０では、説明の便宜上、ユーザストローク情報表示領域５０に、ストローク情報が描画されていない、解答用紙５の画像のみが表示された画面を例示している。また、この解答用紙５の画像では登録欄（ユーザエリア５０２）が表示されていないが、登録欄（ユーザエリア５０２）を表示しても構わない。この段落で述べた内容は、図１１乃至１３にも同様に当てはまる。
【００５６】
また、集約処理手段２４は、画面上部に、機能ボタンとして、選択ユーザ表示ボタン５３、比較一覧表示ボタン５４、再生表示ボタン５６、選択画像出力ボタン５７、表示サイズ変更リスト５８、縮小表示ボタン５９、拡大表示ボタン６１、ページ送り機能６２、６３、回転表示ボタン６４、６６、ユーザコントロール表示ボタン６７、ペン設定ボタン２０１などを表示し、入力手段２１のマウスによる機能ボタンの選択により、それぞれの処理を実行する。
【００５７】
選択ユーザ表示ボタン５３は、後述するユーザ選択リスト６９から選択した１つのユーザ名に対応するユーザストローク情報を表示するためのボタンである。比較一覧表示ボタン５４は、複数のユーザ名に対応するユーザストローク情報を同時に並べて一覧表示するめのボタンである。再生表示ボタン５６は、ユーザストローク情報を１ストロークずつ再生表示するためのボタンである。選択画像出力ボタン５７は、任意選択範囲がある場合にその範囲内のユーザストローク情報を、画像データとして出力するためのボタンである。この機能を設けることで、各受講生の記入情報から、参考となる模範解答集などを容易に作成できるようになる。
【００５８】
表示サイズ変更リスト５８は、現在、ユーザストローク情報表示領域５０に描画するユーザストローク情報の表示サイズを示すリストである。また、ユーザがマウスを用いてプルダウンメニューの中から表示サイズを任意に選択し、変更できる。縮小表示ボタン５９は、ユーザストローク情報表示領域５０に描画するユーザストローク情報の表示サイズを縮小する機能である。拡大表示ボタン６１は、ユーザストローク情報表示領域５０に描画するユーザストローク情報の表示サイズを拡大する機能である。ページ送り機能６２、６３は、異なるページアドレス（用紙ドットパターン）の解答用紙５を表示するためのボタンである。回転表示ボタン６４、６６は、ユーザストローク情報表示領域５０に描画するユーザストローク情報を９０度ずつ回転させるためのボタンである。このような機能を設けることで、表示上の用紙向きを簡単に変更できる。ユーザコントロール表示ボタン６７は、ユーザコントロールリスト６８の表示・非表示を切り替える機能である。非表示にすることで、ユーザストローク情報表示領域５０を拡大できる。
【００５９】
また、ファイルデータの保存やアプリケーションの設定などは、一般的なアプリケーションと同様に、機能メニューとして用意しておくと良い。ファイルメニュー８４のプルダウンメニューとして、ファイルデータの読み込み・保存を実行するメニューや、画像形式で保存するメニューや、アプリケーションの終了を実行するメニューなど、アプリケーションの全般的な管理に関する実行機能を一覧で用意しておくと便利である。
【００６０】
また、ファイルデータの保存に関するファイル形式を、ユーザ別のユーザストローク情報と設定情報を関連付けた構造としているので、ファイルデータを読み込む際、ユーザＩＤ（記入者ＩＤ）、ユーザ色情報、キーワード情報などから特定のデータを検索し、検索されたユーザストローク情報をユーザストローク情報表示領域５０に表示することができる。
【００６１】
表示メニュー９１のプルダウンメニューとして、ウィンドウ枠を隠しアプリケーションの表示領域を最大限拡大する全画面表示メニューなど、アプリケーションの表示に関する実行機能を一覧で用意しておくと便利である。また、ツールメニュー９２のプルダウンメニューとして、電子ペン１の接続経由状況（例えば転送装置３のＩＰアドレスなど）を表示するペン管理メニューや、ユーザストローク情報を表示する背景となる解答用紙５の画像を設定する用紙管理メニューや、アプリケーションの情報を表示するメニューなど、アプリケーションの設定に関する実行機能を一覧で用意しておくと便利である。これらのボタンやメニューが選択されると、集約処理手段２４により各機能が実行される。
【００６２】
ここで、集約装置２の操作者がペン設定ボタン２０１を選択すると、集約処理手段２４は、ペン設定対象ユーザリスト２０２を表示させる。ペン設定対象ユーザリスト２０２には、ペンＩＤと関連付ける対象となっている複数のユーザＩＤに対応するユーザ名（太郎、次郎、・・・）が示されており、ペンＩＤと関連付けるユーザ名を選択できるようになっている。ペン設定対象ユーザリスト２０２に示されたユーザ名は、ユーザ定義情報として記憶手段２５に記憶されたユーザ名に相当する（図７（ｂ）参照）。また、ペン設定対象ユーザリスト２０２には、複数のユーザＩＤの全てをペンＩＤと関連付けるための「全ユーザ」といった選択肢も表示される。
【００６３】
操作者が入力手段２１のマウスによって、ペン設定対象ユーザリスト２０２から所望のユーザ名を選択すると、集約処理手段２４は、選択されたユーザ名に対応するユーザＩＤを特定する。他方で、操作者が入力手段２１のマウスによって、ペン設定対象ユーザリスト２０２から「全ユーザ」を選択すると、集約処理手段２４は、複数のユーザＩＤの中から任意のユーザＩＤを特定する。なお、「全ユーザ」が選択された場合には、集約処理手段２４は、特定したユーザＩＤについてペンＩＤとの関連付けが終了すると、それまでにペンＩＤとの関連付けを行っていないユーザＩＤを複数のユーザＩＤの中から特定し、その特定したユーザＩＤについてペンＩＤとの関連付けを行う、といった処理を繰り返す。こうすることで、集約処理手段２４は、複数のユーザＩＤの全てについてペンＩＤとの関連付けを行う。
【００６４】
図１１は、描画アプリケーションウィンドウにおいて、ペン設定対象ユーザリスト２０２にてユーザ名が選択された後（つまり当該ユーザ名に対応するユーザＩＤが特定された後）に表示されるメッセージボックス２０３を示している。ここでは、ユーザ名として「太郎」が選択された場合（つまりユーザＩＤ「Ｕ０１」が特定された場合）を例に挙げる。この場合、集約処理手段２４は、「太郎」のユーザＩＤである「Ｕ０１」に関連付ける電子ペン１によって解答用紙５の登録欄（ユーザエリア５０２）にタップすることを促すべく、「太郎（Ｕ０１）と関連付けるペンを登録欄にタップしてください」といったペン設定メッセージが示されたメッセージボックス２０３を表示させる。この後、集約処理手段２４は、電子ペン１から解答用紙５のユーザエリア５０２についての記入情報を受信すると、その記入情報に含まれるペンＩＤと、ユーザＩＤ「Ｕ０１」とを関連付ける。
【００６５】
図１２は、描画アプリケーションウィンドウにおいて、ペンＩＤとユーザＩＤとの関連付けが終了した際に表示されるメッセージボックス２０４を示している。ここでは、ユーザ名「太郎」のユーザＩＤ「Ｕ０１」に対して、ペンＩＤ「ｐｅｎ０１」が関連付けられた場合を例に挙げる。この場合、集約処理手段２４は、「ペン１Ａ（ｐｅｎ０１）と太郎（Ｕ０１）の関連付けが終了しました。」といった関連付け終了メッセージが示されたメッセージボックス２０４を表示させる。
【００６６】
図１３は、複数のユーザＩＤの全てについてペンＩＤとの関連付けが完了した後に表示される描画アプリケーションウィンドウの一例を示している。
【００６７】
図１３に示すように、集約処理手段２４は、ユーザコントロールリスト６８内にユーザ選択リスト６９を表示させる。ユーザ選択リスト６９は、ユーザストローク情報表示領域５０に表示するユーザストローク情報を、ユーザ名で選択するためのリストである。集約処理手段２４は、電子ペン１から取得して個別学習データとして記憶手段２５に記憶したユーザストローク情報ごとに関連付けられている記入者ＩＤ（ユーザＩＤ）に対応するユーザ名や、色分類ボタン７１〜７６によって選択されたユーザ色（分類）情報、キーワード等の各ユーザの情報を、ユーザ選択リスト６９に表示する。ユーザ選択リスト６９のユーザ名の欄には、集約処理手段２４により、記憶手段２５に記憶した個別学習データの記入者ＩＤに対応するユーザ名が表示される。すなわち、上記したようなペンＩＤとユーザＩＤとの関連付けにより、記入者ＩＤとして設定されたユーザＩＤに対応するユーザ名を表示させることとなる（なお、記入者ＩＤとしてペンＩＤが設定されている場合にはペンＩＤが表示されることとなる）。
【００６８】
操作者が入力手段２１のマウスによって、ユーザ選択リスト６９から所望のユーザを選択したうえで選択ユーザ表示ボタン５３をクリックすると、集約処理手段２４は、選択されたユーザのストローク情報を解答用紙５の画像とともに、ユーザストローク情報表示領域５０に表示させる。図１３では、ユーザ選択リスト６９のうちユーザ名「三郎」が選択され、ユーザストローク情報表示領域５０には、ユーザ名「三郎」のユーザＩＤ「Ｕ０３」と関連付けられたペンＩＤを有する電子ペン１で記入された記入内容が、解答用紙５の画像とともに表示されている。また、ユーザ選択リスト６９のキーワードの欄に、入力手段２１のキーボードを用いて直接文字を入力することができ、集約処理手段２４は、入力された文字を個人学習データファイルのキーワード情報として記憶手段２５における記入者ＩＤ別の格納領域に記憶させる（参照図９）。
【００６９】
ユーザコントロールリスト６８には、ユーザ選択リスト６９以外にも、色分類ボタン７１〜７６、名簿順ソートボタン７８、色順ソートボタン７９、分類グラフ表示ボタン８１、リロードボタン８２などが表示される。
【００７０】
色分類ボタン７１〜７６は、ユーザ選択リスト６９に表示されているユーザごとにユーザ色（分類）情報を設定するためのボタンである。ボタン７１は赤色に、ボタン７２は青色に、ボタン７３は黄色に、ボタン７４は緑色に、ボタン７５は茶色に、ボタン７６は白色に設定するためのボタンである。集約装置２の操作者は、入力手段２１のマウスによって、ユーザ選択リスト６９内の特定のユーザ名を選択し、色分類ボタン７１〜７６のうち所望のボタンを選択すると、集約処理手段２４は、ユーザ選択リスト６９内の選択されたユーザ名の色分類を表示する欄を指定された色で表示する。この機能により、操作者である講師が、ユーザストローク情報表示領域５０に表示される記入者（受講者）の解答内容を見て、その考え方などをカテゴリー分けして色をつけ、見易くすることができる。なお、ユーザ色（分類）情報は、未設定時は、白色に設定しておくとよい。
【００７１】
名簿順ソートボタン７８は、ユーザ選択リスト６９に表示されているユーザ一覧を、ユーザＩＤ順（名簿順）に並べ替えるためのボタンである。色順ソートボタン７９は、ユーザ選択リスト６９に表示されているユーザ一覧を、色分類ボタン７１〜７６の操作によって付された色情報が同じユーザ同士を連続して配列されるように、ユーザ色情報順に並べ替えるためのボタンである。分類グラフ表示ボタン８１は、色分類ボタン７１〜７６の操作によって付されたユーザ色情報別のユーザ数を、ユーザストローク情報表示領域５０に棒グラフ等で表示するためのボタンである。
【００７２】
リロードボタン８２は、ユーザ選択リスト６９において選択されているユーザのユーザストローク情報を、学習データファイル保存時の状態まで戻すためのボタンである。この機能により、操作者である講師が、リロードボタン８２をマウスで選択すると、集約処理手段２４は、選択されているユーザに関連付けられている記入者ＩＤに基づいて、前回のファイル保存以降に電子ペン１より受信して記憶手段２５の記入者ＩＤ別の格納領域に記憶したユーザストローク情報をクリアして、前回ファイル保存した時点までのユーザストローク情報を読み出し、ユーザストローク情報表示領域５０に表示する。この機能により、個々のユーザが解答をやり直したい場合などに対応できる。
【００７３】
［処理フロー］
次に、図１４乃至図１６を参照して、本実施形態において行われる処理フローについて説明する。
【００７４】
図１４は、各電子ペン１によって送信される記入情報への記入者ＩＤの設定機能を示す処理フローである。この処理フローは、ペン設定対象ユーザリスト２０２にてユーザ名が選択された場合（つまり「全ユーザ」が選択されなかった場合）に行われるものである。
【００７５】
まず、集約装置２では、集約処理手段２４は、ペン設定ボタン２０１の押下を検知したか否かを判定する（ステップＳ２０１）。集約処理手段２４は、ペン設定ボタン２０１の押下を検知した場合（ステップＳ２０１：Ｙｅｓ）、ペン設定対象ユーザリスト２０２を表示させる（ステップＳ２０２）（参照図１０）。そして、集約処理手段２４は、ペン設定対象ユーザリスト２０２にて選択されたユーザ名に対応するユーザＩＤを、ペンＩＤと関連付けるべきユーザＩＤとして特定し（ステップＳ２０３）、メッセージボックス２０３にて、特定したユーザＩＤと関連付ける電子ペン１によって解答用紙５の登録欄（ユーザエリア５０２にタップすることを促すペン設定メッセージを表示させる（ステップＳ２０４）（参照図１１）。
【００７６】
次に、ペン設定メッセージに応じて、特定したユーザＩＤに対応するユーザ名の記入者が電子ペン１で解答用紙５に記入すると、電子ペン１は、ペン先部１０３付近のドットパターンを読み取って演算した位置情報等によって構成されるストローク情報とペンＩＤを含む記入情報を、集約装置２へ送信する（ステップＳ１０１）。集約装置２では、受信手段２２、２３によって電子ペン１からの記入情報を受信して、集約処理手段２４に処理させる。この場合、集約処理手段２４は、ストローク情報やペンＩＤを含む記入情報を記憶手段２５に記憶させる（ステップＳ２０５）。
【００７７】
次に、集約処理手段２４は、記入情報に含まれる位置座標から、電子ペン１によって登録欄に記入されたか否かを判定する（ステップＳ２０６）。具体的には、集約処理手段２４は、記憶手段２５のユーザエリア定義情報（参照図７（ａ））でユーザエリアと位置座標の範囲との関係を参照して、電子ペン１によって解答用紙５上の登録欄（ユーザエリア５０２）に記入されたか否かを判定する。
【００７８】
登録欄に記入されたものと判断した場合（ステップＳ２０６：Ｙｅｓ）、集約処理手段２４は、当該記入情報が、ステップＳ２０４でペン設定メッセージを表示させてから所定時間以内に受信されたものであるか否かを判定する（ステップＳ２０７）。集約処理手段２４は、所定時間以内に記入情報が受信されたと判断した場合（ステップＳ２０７：Ｙｅｓ）、後述するペンＩＤとユーザＩＤの関連付け処理を行い（ステップＳ２０８）、ペン設定ボタン２０１のペン設定機能をＯＦＦさせて処理を終了する。これに対して、集約処理手段２４は、所定時間以内に記入情報が受信されなかったと判断した場合には（ステップＳ２０７：Ｎｏ）、ペンＩＤとユーザＩＤの関連付け処理を行わずに、ペン設定ボタン２０１のペン設定機能をＯＦＦさせて処理を終了する。こうするのは、ペン設定メッセージを表示してからある程度長い時間が経ってから記入情報が受信された場合には、その記入情報に対応する、電子ペン１による解答用紙５への記入は、ペンＩＤとユーザＩＤとを関連付けるために行われたものでない可能性が高いからである。なお、記入情報がそもそも受信されなかった場合にペンＩＤとユーザＩＤの関連付け処理を行わないことは言うまでも無い。
【００７９】
一方で、登録欄に記入されていないと判断した場合（ステップＳ２０６：Ｎｏ）、集約処理手段２４は、上記したようなペンＩＤとユーザＩＤとを関連付けるための処理を行わず、ペン設定ボタン２０１のペン設定機能をＯＦＦにする。この場合には、登録欄（ユーザエリア５０２）ではなく解答欄（ユーザエリア５０１）に、電子ペン１によって記入されたからである。具体的には、集約処理手段２４は、登録欄に記入されていないと判断した場合（ステップＳ２０６：Ｎｏ）、まず、記憶手段２５のペン設定情報を参照して、記入情報に含まれる電子ペン１のペンＩＤについて記入者ＩＤが設定されているか否か判定する（ステップＳ２１０）。集約処理手段２４は、電子ペン１のペンＩＤについて記入者ＩＤが設定されていないと判断した場合（ステップＳ２１０：Ｎｏ）、電子ペン１のペンＩＤを記入者ＩＤとして設定して記憶手段２５に記憶させ（ステップＳ２１１）、電子ペン１のペンＩＤについて記入者ＩＤが設定されていると判断した場合（ステップＳ２１０：Ｙｅｓ）、電子ペン１のペンＩＤに既に設定されている記入者ＩＤを維持することとし、電子ペン１のペンＩＤによって当該記入者ＩＤを変更しない。この後、集約処理手段２４は、ステップＳ２０５で記憶したストローク情報に基づいて、ストロークを描画する（ステップＳ２１２）。この場合、集約処理手段２４は、ステップＳ２０５で記憶したペンＩＤにユーザＩＤが既に関連付けられている場合には、そのユーザＩＤに対応するユーザストローク情報表示領域５０にストロークを描画しても良い。
【００８０】
他方で、ペン設定ボタン２０１の押下を検知しなかった場合（ステップＳ２０１：Ｎｏ）、上記したステップＳ２０２〜Ｓ２０８の処理を行わない。つまり、ペンＩＤとユーザＩＤとを関連付けるための処理を行わない。この場合、集約装置２では、受信手段２２、２３によって電子ペン１からの記入情報を受信すると、集約処理手段２４は、ストローク情報やペンＩＤを含む記入情報を記憶手段２５に記憶させる（ステップＳ２０９：参照図９）。そして、集約処理手段２４は、記憶手段２５のペン設定情報を参照して、記入情報に含まれる電子ペン１のペンＩＤについて記入者ＩＤが設定されているか否か判定する（ステップＳ２１０）。集約処理手段２４は、電子ペン１のペンＩＤについて記入者ＩＤが設定されていないと判断した場合（ステップＳ２１０：Ｎｏ）、電子ペン１のペンＩＤを記入者ＩＤとして設定して記憶手段２５に記憶させ（ステップＳ２１１）、電子ペン１のペンＩＤについて記入者ＩＤが設定されていると判断した場合（ステップＳ２１０：Ｙｅｓ）、電子ペン１のペンＩＤに既に設定されている記入者ＩＤを維持することとし、電子ペン１のペンＩＤによって当該記入者ＩＤを変更しない。この後、集約処理手段２４は、ステップＳ２０９で記憶したストローク情報に基づいて、ストロークを描画する（ステップＳ２１２）。この場合、集約処理手段２４は、ステップＳ２０９で記憶したペンＩＤにユーザＩＤが既に関連付けられている場合には、そのユーザＩＤに対応するユーザストローク情報表示領域５０に、ストロークを描画しても良い。なお、ステップＳ２０９において記憶されたストローク情報が、解答用紙５の登録欄（ユーザエリア５０２）への記入により生成されたものである場合には、ストロークを描画する処理（ステップＳ２１２）を行わないことは言うまでも無い。加えて、この場合には、記入者ＩＤとしてペンＩＤを設定する処理（ステップＳ２１１）を行わなくても良い。
【００８１】
図１５は、図１４のステップＳ２０８で行われる、ペンＩＤとユーザＩＤの関連付け処理を示すフローである。なお、この処理フローは、後述する図１６のステップＳ５０８でも行われる。
【００８２】
まず、集約処理手段２４は、記憶手段２５のペン設定情報（参照図８（ａ））を参照して、記入情報に含まれる電子ペン１のペンＩＤに対応して、記入者ＩＤが設定されているか否か判定する（ステップＳ３０１）。集約処理手段２４は、電子ペン１のペンＩＤに対応して、記入者ＩＤが設定されていないと判断した場合（ステップＳ３０１：Ｎｏ）、その記入者ＩＤとして、図１４のステップＳ２０３において特定したユーザＩＤを設定して記憶手段２５に記憶させる（ステップＳ３０４）。そして、集約処理手段２４は、ペンＩＤとユーザＩＤとの関連付けが終了したことを示す関連付け終了メッセージを表示させる（ステップＳ３０５）（参照図１２）。
【００８３】
一方、ステップＳ３０１において、集約処理手段２４は、電子ペン１のペンＩＤに対応して、記入者ＩＤが設定されていると判断した場合（ステップＳ３０１：Ｙｅｓ）、その記入者ＩＤとして、ペンＩＤが設定されているか否か判定する（ステップＳ３０２）。このとき、集約処理手段２４は、記入者ＩＤとしてペンＩＤは設定されていないと判断した場合（ステップＳ３０２：Ｎｏ）、記入者ＩＤとして設定されているＩＤが、図１４のステップＳ２０３で特定したユーザＩＤであるか否か判定し（ステップＳ３０３）、ステップＳ２０３で特定したユーザＩＤと異なる場合（ステップＳ３０３：Ｙｅｓ）、電子ペン１のペンＩＤの記入者ＩＤを、ステップＳ２０３で特定したユーザＩＤに変更して更新する（ステップＳ３０４）（参照図８（ｂ）、ペンＩＤ＝ｐｅｎ０１）。そして、集約処理手段２４は、ペンＩＤとユーザＩＤとの関連付けが終了したことを示す関連付け終了メッセージを表示させる（ステップＳ３０５）（参照図１２）。一方、図１４のステップＳ２０３で特定したユーザＩＤと同じ場合（ステップＳ３０３：Ｎｏ）、集約処理手段２４は、ペンＩＤとユーザＩＤとの関連付けが終了したことを示す関連付け終了メッセージを表示させる（ステップＳ３０５）（参照図１２）。この場合には、電子ペン１のペンＩＤに既に設定されている記入者ＩＤをそのまま維持する。
【００８４】
一方、ステップＳ３０２において、集約処理手段２４は、記入者ＩＤとして、ペンＩＤが設定されていると判断した場合（ステップＳ３０２：Ｙｅｓ）、記憶手段２５に記憶された学習データファイルを参照して、そのペンＩＤを記入者ＩＤとして記憶されている個人学習データの記入者ＩＤを、図１４のステップＳ２０３で特定したユーザＩＤに遡及的に変更して、記憶手段２５に記憶させるとともに（ステップＳ３０６）、記憶手段２５における電子ペン１に関するペン設定情報の記入者ＩＤを、ペンＩＤからステップＳ２０３で特定したユーザＩＤに変更して記憶させる（ステップＳ３０７）（参照図８（ｂ）、ペンＩＤ＝ｐｅｎ０２）。そして、集約処理手段２４は、ペンＩＤとユーザＩＤとの関連付けが終了したことを示す関連付け終了メッセージを表示させる（ステップＳ３０５）（参照図１２）。
【００８５】
図１６は、各電子ペン１によって送信される記入情報への記入者ＩＤの設定機能を示す処理フローの他の例である。この処理フローは、ペン設定対象ユーザリスト２０２にて「全ユーザ」が選択された場合に、図１４に示した処理フローの代わりに行われるものである。
【００８６】
集約装置２では、集約処理手段２４は、ペン設定ボタン２０１の押下を検知したか否かを判定する（ステップＳ５０１）。集約処理手段２４は、ペン設定ボタン２０１の押下を検知した場合（ステップＳ５０１：Ｙｅｓ）、ペン設定対象ユーザリスト２０２を表示させる（ステップＳ５０２）（参照図１０）。ここまでは、図１４のステップＳ２０１、２０２と同様である。そして、集約処理手段２４は、ペン設定対象ユーザリスト２０２にて、「全ユーザ」が選択されたことを検知すると、処理手段２４は、複数のユーザＩＤ（Ｕ０１〜Ｕ０５）のうち、これまでにペンＩＤとユーザＩＤの関連付け処理を行っていないユーザＩＤであって、ユーザＩＤ番号の最も小さいユーザＩＤを特定し（ステップＳ５０３）、メッセージボックス２０３にて、その特定したユーザＩＤと関連付ける電子ペン１によって解答用紙５の登録欄にタップすることを促すペン設定メッセージを表示させる（ステップＳ５０４）（参照図１１）。なお、ここでは、最初にユーザＩＤが特定されるので、処理手段２４は、「Ｕ０１」のユーザＩＤを関連付けの対象として特定する。
【００８７】
図１６のステップＳ４０１、ステップＳ５０５〜５１２は、それぞれ、図１４のステップＳ１０１、ステップＳ２０５〜２１２と同様であるので、その説明を省略する。続いて、ステップＳ５１３以降の処理について説明する。ステップＳ５１３の処理は、ペンＩＤとユーザＩＤの関連付け処理（ステップＳ５０８）の後に行われる。ステップＳ５１３において、集約処理手段２４は、全ユーザＩＤに対してペンＩＤを関連付けたか否かを判定する。全ユーザＩＤに対してペンＩＤを関連付けた場合（ステップＳ５１３：Ｙｅｓ）、ペン設定ボタン２０１のペン設定機能をＯＦＦさせて処理を終了させる。これに対して、全ユーザＩＤに対してペンＩＤを関連付けていない場合（ステップＳ５１３：Ｎｏ）、処理はステップＳ５０３に戻る。この場合には、集約処理手段２４は、複数のユーザＩＤ（Ｕ０１〜Ｕ０５）の中からこれまでにペンＩＤとユーザＩＤの関連付け処理を行っていないユーザＩＤであってユーザＩＤ番号の最も小さいユーザＩＤを特定し（ステップＳ５０３）、その特定したユーザＩＤについてペンＩＤを関連付けるための処理（ステップＳ５０４〜Ｓ５０８）の処理を行う。そして、ステップＳ５１３の判定を再度行う。集約処理手段２４は、このようなステップＳ５０３〜Ｓ５１３の処理を繰り返し行うことで、ユーザＩＤの番号順に、全ユーザＩＤに対してペンＩＤを関連付ける。
【００８８】
なお、一のユーザＩＤに対して一のペンＩＤを関連付けることに限定はされず、一のユーザＩＤに対して複数のペンＩＤを関連付けても良い。つまり、複数のペンＩＤに対して、同じユーザＩＤを関連付けても良い。１つの例では、図１４のステップＳ２０７及び図１６のＳ５０７において、所定時間以内に記入情報が受信されたと判定された場合において、その所定時間以内に受信された記入情報が複数の電子ペン１によって送信されたものである場合に、複数の電子ペン１によって送信された複数のペンＩＤと、特定したユーザＩＤとを関連付けることができる。他の例では、図１４のステップＳ２０７及び図１６のＳ５０７において、所定時間以内に記入情報が受信されたか否かを判定する代わりに、所定本数の電子ペン１によって送信された記入情報が受信されたか否かを判定し、所定本数の電子ペン１によって送信された記入情報が受信されたと判定された場合に、その所定本数の電子ペン１によって送信された複数のペンＩＤと、特定したユーザＩＤとを関連付けることができる。以上のように、複数のペンＩＤに対して同じユーザＩＤを関連付けることで、複数のペンＩＤに対応する複数の電子ペン１をグループ化することができる。
【００８９】
以下では、上記した処理フローの流れについて、次の（１）（２）（３）の場合を例に挙げて説明する。また、グループ化機能について、（４）の場合を例に挙げて説明する。
【００９０】
（１）ペンＩＤとユーザＩＤとの関連付け後に解答用紙５のユーザエリア５０１（解答欄）に記入する場合
【００９１】
図１４、図１５及び図１７を参照して、集約装置２の操作者がペン設定対象ユーザリスト２０２にて記入者「太郎」を選択し、その後に、記入者「太郎」が、ペン設定メッセージの表示後に電子ペン１Ａで解答用紙５Ａのユーザエリア５０２Ａ（登録欄）をタップした上で、解答用紙５Ａのユーザエリア５０１Ａ（解答欄）に解答を記入する場合について説明する。
【００９２】
集約装置２では、集約処理手段２４は、操作者によるペン設定ボタン２０１の押下を検知すると（ステップＳ２０１：Ｙｅｓ）、ペン設定対象ユーザリスト２０２を表示させる（ステップＳ２０２）。そして、操作者がペン設定対象ユーザリスト２０２にて記入者「太郎」を選択すると、集約処理手段２４は、ペン設定対象ユーザリスト２０２にて選択された「太郎」に対応するユーザＩＤ「Ｕ０１」を特定し（ステップＳ２０３）、メッセージボックス２０３にて、ユーザＩＤ「Ｕ０１」と関連付ける電子ペン１によって解答用紙５のユーザエリア５０２（登録欄）にタップすることを促すペン設定メッセージを表示させる（ステップＳ２０４）。
【００９３】
そして、記入者「太郎」が解答用紙５Ａのユーザエリア５０２Ａを電子ペン１Ａでタップすると、電子ペン１Ａは、タップ時に演算したストローク情報（位置情報等）とペンＩＤ「ｐｅｎ０１」とを含む記入情報を集約装置２へ送信する（ステップＳ１０１）。集約装置２は、集約個別受信手段２２によって電子ペン１Ａからの記入情報を受信して、集約処理手段２４に処理させる。集約処理手段２４は、ストローク情報とペンＩＤとを含む記入情報を記憶手段２５に記憶させる（ステップＳ２０５）。そして、集約処理手段２４は、記入情報に含まれる位置座標から、電子ペン１Ａによってユーザエリア５０２Ａに記入されたと判断し（ステップＳ２０６：Ｙｅｓ）、更に、当該記入情報が所定時間以内に受信されたと判断し（ステップＳ２０７：Ｙｅｓ）、ペンＩＤとユーザＩＤの関連付け処理を行う（ステップＳ２０８）。
【００９４】
この場合、記憶手段２５における電子ペン１Ａのペン設定情報に、記入者ＩＤは未だ設定されていないため（ステップＳ３０１：Ｎｏ）、集約処理手段２４は、電子ペン１Ａの記入者ＩＤを、ステップＳ２０３で特定したユーザＩＤ「Ｕ０１」に設定して記憶手段２５に記憶させる（ステップＳ３０４）。そして、集約処理手段２４は、電子ペンＩＡのペンＩＤ「ｐｅｎ０１」と記入者「太郎」のユーザＩＤ「Ｕ０１」との関連付けが終了したことを示す関連付け終了メッセージを表示させる（ステップＳ３０５）。
【００９５】
続いて、記入者「太郎」が解答用紙５Ａのユーザエリア５０１Ａ（解答欄）に電子ペン１Ａで解答を記入すると、電子ペン１Ａは、解答用紙５Ａのユーザエリア５０１Ａについてのストローク情報とペンＩＤ「ｐｅｎ０１」とを含む記入情報を集約装置２へ送信する。すると、集約装置２では、集約処理手段２４は、ストローク情報とペンＩＤとを含む記入情報を記憶手段２５に記憶させ、電子ペン１ＡにはユーザＩＤ「Ｕ０１」が記入者ＩＤとして設定されていると認識して、解答用紙５Ａのユーザエリア５０１Ａについてのストローク情報に記入者ＩＤ「Ｕ０１」を関連付けて、記憶手段２５における、記入者ＩＤ別の個人学習データファイルのユーザストローク情報格納領域に記憶させる。
【００９６】
（２）（１）に続いて、同じペンＩＤに対して別のユーザＩＤを関連付けて解答用紙５のユーザエリア５０１（解答欄）に記入する場合
【００９７】
図１４、図１５及び図１８を参照して、（１）の例に続いて、集約装置２の操作者がペン設定対象ユーザリスト２０２にて記入者「三郎」を選択し、その後に、記入者「太郎」とは異なる記入者「三郎」が、ペン設定メッセージの表示後に、記入者「太郎」と同じ電子ペン１Ａで解答用紙５Ｃのユーザエリア５０２Ｃ（登録欄）をタップした上で、解答用紙５Ｃのユーザエリア５０１Ｃ（解答欄）に解答を記入する場合について説明する。
【００９８】
集約装置２では、集約処理手段２４は、操作者によるペン設定ボタン２０１の押下を検知すると（ステップＳ２０１：Ｙｅｓ）、ペン設定対象ユーザリスト２０２を表示させる（ステップＳ２０２）。そして、操作者がペン設定対象ユーザリスト２０２にて記入者「三郎」を選択すると、集約処理手段２４は、ペン設定対象ユーザリスト２０２にて選択された「三郎」に対応するユーザＩＤ「Ｕ０３」を特定し（ステップＳ２０３）、メッセージボックス２０３にて、ユーザＩＤ「Ｕ０３」と関連付ける電子ペン１によって解答用紙５のユーザエリア５０２（登録欄）にタップすることを促すペン設定メッセージを表示させる（ステップＳ２０４）。
【００９９】
そして、記入者「三郎」が解答用紙５Ｃのユーザエリア５０２Ｃを電子ペン１Ａでタップすると、電子ペン１Ａは、タップ時に演算したストローク情報（位置情報等）とペンＩＤ「ｐｅｎ０１」とを含む記入情報を集約装置２へ送信する（ステップＳ１０１）。集約装置２は、集約個別受信手段２２によって電子ペン１Ａからの記入情報を受信して、集約処理手段２４に処理させる。集約処理手段２４は、ストローク情報とペンＩＤとを含む記入情報を記憶手段２５に記憶させる（ステップＳ２０５）。そして、集約処理手段２４は、記入情報に含まれる位置座標から、電子ペン１Ａによってユーザエリア５０２Ｃに記入されたと判断し（ステップＳ２０６：Ｙｅｓ）、更に、当該記入情報が所定時間以内に受信されたと判断し（ステップＳ２０７：Ｙｅｓ）、ペンＩＤとユーザＩＤの関連付け処理を行う（ステップＳ２０８）。
【０１００】
この場合、電子ペン１Ａの記入者ＩＤには、先行して電子ペン１Ａを使用していた「太郎」のユーザＩＤ「Ｕ０１」が設定されているため、集約処理手段２４は、記入者ＩＤが既に設定されていると認識し（ステップＳ３０１：Ｙｅｓ）、その記入者ＩＤはペンＩＤではないと判断する（ステップＳ３０２：Ｎｏ）。さらに、集約処理手段２４は、ステップＳ２０３で特定したユーザＩＤ「Ｕ０３」が、設定されている記入者ＩＤ「Ｕ０１」とは異なるため（ステップＳ３０３：Ｙｅｓ）、電子ペン１Ａのペン設定情報の記入者ＩＤを、特定したユーザＩＤ「Ｕ０３」に更新して記憶手段２５に記憶させる（ステップＳ３０４）。そして、集約処理手段２４は、電子ペンＩＡのペンＩＤ「ｐｅｎ０１」と記入者「三郎」のユーザＩＤ「Ｕ０３」との関連付けが終了したことを示す関連付け終了メッセージを表示させる（ステップＳ３０５）。
【０１０１】
続いて、記入者「三郎」が解答用紙５Ｃのユーザエリア５０１Ｃ（解答欄）に電子ペン１Ａで解答を記入すると、電子ペン１Ａは、解答用紙５Ｃのユーザエリア５０１Ｃについてのストローク情報とペンＩＤ「ｐｅｎ０１」とを含む記入情報を集約装置２へ送信する。すると、集約装置２では、集約処理手段２４は、ストローク情報とペンＩＤとを含む記入情報を記憶手段２５に記憶させ、電子ペン１ＡにはユーザＩＤ「Ｕ０３」が記入者ＩＤとして設定されていると認識して、解答用紙５Ｃのユーザエリア５０１Ｃについてのストローク情報に記入者ＩＤ「Ｕ０３」を関連付けて、記憶手段２５における、記入者ＩＤ別の個人学習データファイルのユーザストローク情報格納領域に記憶させる。
【０１０２】
（３）ペンＩＤとユーザＩＤとが関連付けられていない状態から、先行して解答用紙５のユーザエリア５０１（解答欄）に解答を記入してしまい、後で、ペンＩＤとユーザＩＤとを関連付けて、続けて解答用紙５のユーザエリア５０１に記入する場合
【０１０３】
図１４、図１５及び図１９を参照して、記入者「次郎」が、集約装置２において記入者ＩＤが設定されていない状態から、先行して解答用紙５Ｂのユーザエリア５０１Ｂ（解答欄）に解答を記入してしまい、その後で、集約装置２の操作者がペン設定対象ユーザリスト２０２にて記入者「次郎」を選択し、記入者「次郎」が、ペン設定メッセージの表示後に電子ペン１Ｂで解答用紙５Ｂのユーザエリア５０２Ｂ（登録欄）をタップした上で、解答用紙５Ｂのユーザエリア５０１Ｂに解答を記入する場合について説明する。
【０１０４】
この場合には、集約装置２では、集約処理手段２４は、ペン設定ボタン２０１の押下を検知しない（ステップＳ２０１：Ｎｏ）。そのため、集約処理手段２４は、ペンＩＤとユーザＩＤとを関連付けるための処理（ステップＳ２０２〜Ｓ２０８の処理）を行わず、ステップＳ２０９以降の処理を行う。
【０１０５】
まず、記入者「次郎」が、解答用紙５Ｂのユーザエリア５０１Ｂ（解答欄）に電子ペン１Ｂで解答を書き始めると、電子ペン１Ｂは、解答用紙５Ｂのユーザエリア５０１Ｂについてのストローク情報（位置情報）と電子ペン１ＢのペンＩＤ「ｐｅｎ０２」とを含む記入情報を集約装置２へ送信する（ステップＳ１０１）。集約装置２は、集約個別受信手段２２によって電子ペン１Ｂからの記入情報を受信して、集約処理手段２４に処理させる。集約処理手段２４は、ストローク情報とペンＩＤとを含む記入情報を記憶手段２５に記憶させる（ステップＳ２０９）。この場合には、記憶手段２５には、電子ペン１Ｂのペン設定情報に記入者ＩＤが設定されていない状態であるため、集約処理手段２４は、記憶手段２５に電子ペン１Ｂの記入者ＩＤは設定されていないと認識し（ステップＳ２１０：Ｎｏ）、記入者ＩＤとして、暫時的に電子ペン１ＢのペンＩＤ「ｐｅｎ０２」を設定して記憶手段２５に記憶させる（ステップＳ２１１）。そして、集約処理手段２４は、解答用紙５Ｂのユーザエリア５０１Ｂについてのストローク情報に記入者ＩＤ「ｐｅｎ０２」を関連付けて記憶手段２５における記入者ＩＤ別の個人学習データファイルのユーザストローク情報格納領域に記憶させる。
【０１０６】
その後、集約装置２では、集約処理手段２４は、操作者によるペン設定ボタン２０１の押下を検知すると（ステップＳ２０１：Ｙｅｓ）、ペン設定対象ユーザリスト２０２を表示させる（ステップＳ２０２）。そして、操作者がペン設定対象ユーザリスト２０２にて記入者「次郎」を選択すると、集約処理手段２４は、ペン設定対象ユーザリスト２０２にて選択された「次郎」に対応するユーザＩＤ「Ｕ０２」を特定し（ステップＳ２０３）、メッセージボックス２０３にて、ユーザＩＤ「Ｕ０２」と関連付ける電子ペン１によって解答用紙５のユーザエリア５０２（登録欄）にタップすることを促すペン設定メッセージを表示させる（ステップＳ２０４）。
【０１０７】
そして、記入者「次郎」が解答用紙５Ｂのユーザエリア５０２Ｂを電子ペン１Ｂでタップすると、電子ペン１Ｂは、タップ時に演算したストローク情報（位置情報等）とペンＩＤ「ｐｅｎ０２」とを含む記入情報を集約装置２へ送信する（ステップＳ１０１）。集約装置２は、集約個別受信手段２２によって電子ペン１Ｂからの記入情報を受信して、集約処理手段２４に処理させる。集約処理手段２４は、ストローク情報とペンＩＤとを含む記入情報を記憶手段２５に記憶させる（ステップＳ２０５）。そして、集約処理手段２４は、記入情報に含まれる位置座標から、電子ペン１Ｂによってユーザエリア５０２Ｂに記入されたと判断し（ステップＳ２０６：Ｙｅｓ）、更に、このような記入情報が所定時間以内に受信されたと判断し（ステップＳ２０７：Ｙｅｓ）、ペンＩＤとユーザＩＤの関連付け処理を行う（ステップＳ２０８）。
【０１０８】
この場合、記憶手段２５では、電子ペン１Ｂの記入者ＩＤは、暫時的に「ｐｅｎ０２」に設定されている。そのため、集約処理手段２４は、記入者ＩＤは設定されていると認識するが（ステップＳ３０１：Ｙｅｓ）、設定されている記入者ＩＤはペンＩＤ（「ｐｅｎ０２」）であると認識する（ステップＳ３０２：Ｙｅｓ）。そのため、集約処理手段２４は、先行して取得され、記憶手段２５に記入者ＩＤ別に記憶されている個人学習データのうち、記入者ＩＤ「ｐｅｎ０２」として記憶されている個人学習データの記入者ＩＤ「ｐｅｎ０２」を遡及的に、特定したユーザＩＤ「Ｕ０２」に変更して記憶手段２５に格納させるとともに（ステップＳ３０６）、記憶手段２５における電子ペン１Ｂの記入者ＩＤを「ｐｅｎ０２」からユーザＩＤ「Ｕ０２」に変更して記憶させる（ステップＳ３０７）。そして、集約処理手段２４は、電子ペンＩＢのペンＩＤ「ｐｅｎ０２」と記入者「次郎」のユーザＩＤ「Ｕ０２」との関連付けが終了したことを示す関連付け終了メッセージを表示させる（ステップＳ３０５）。
【０１０９】
続いて、記入者「次郎」は、解答用紙５Ｂのユーザエリア５０１Ｂ（解答欄）に戻り、電子ペン１Ｂで再び解答を記入し始めると、電子ペン１Ｂは、解答用紙５Ｂのユーザエリア５０１Ｂについてのストローク情報とペンＩＤ「ｐｅｎ０２」とを含む記入情報を集約装置２へ送信する。すると、集約装置２では、集約処理手段２４は、ストローク情報とペンＩＤとを含む記入情報を記憶手段２５に記憶させ、電子ペン１Ｂに記入者ＩＤ「Ｕ０２」が設定されていることを認識して、解答用紙５Ｂのユーザエリア５０１Ｂについてのストローク情報に記入者ＩＤ「Ｕ０２」を関連付けて、記憶手段２５における、記入者ＩＤ別の個人学習データファイルのユーザストローク情報格納領域に記憶させる。
【０１１０】
このように、集約処理手段２４の記入者ＩＤ設定機能によれば、予めペンＩＤとユーザＩＤとを関連付ければ、解答用紙５のユーザエリア５０１についてのストローク情報に対してユーザＩＤが関連付けられて記憶手段２５に記憶されるが、仮に、ペンＩＤとユーザＩＤとが関連付けられていない状態で、解答用紙５のユーザエリア５０１に解答を記入してしまった場合でも、その後で、ペンＩＤとユーザＩＤとを関連付ければ、先行して解答用紙５のユーザエリア５０１に記入した内容のユーザストローク情報も遡及してそのユーザＩＤに関連付けされ、続けて解答用紙５のユーザエリア５０１に記入した内容のユーザストローク情報についても、そのユーザＩＤが関連付けされることとなる。
【０１１１】
（４）グループ化機能について
図２０を参照して、記入者ＩＤ設定機能のグループ化機能について説明する。図２０に示すように、集約装置２の操作者がペン設定対象ユーザリスト２０２にて記入者「次郎」を選択し、記入者三名が、ペン設定メッセージの表示後所定時間内に、それぞれ固有のペンＩＤを有する異なる電子ペン１Ａ〜１Ｃで解答用紙５Ａ〜５Ｃのユーザエリア５０２Ａ〜５０２Ｃ（登録欄）をタップする。そうすると、集約装置２では、集約処理手段２４によって、電子ペン１Ａ〜１Ｃについての記入者ＩＤとして、ユーザＩＤ「Ｕ０２」が設定されることとなる。この場合、電子ペン１Ａ〜１Ｃを用いている各記入者は、ユーザＩＤ「Ｕ０２」に対応するユーザ名「次郎」を班長とするグループに属しているといった具合に、集約装置２において、ユーザＩＤによってグループ化することができる。勿論、このグループ化機能を利用する場合に、集約装置２の記憶手段２５にグループ名を記憶させ、そのようなグループ名を設定してもよい。
【０１１２】
［本実施形態による作用効果］
以上説明した本実施形態によれば、電子ペン１のペンＩＤとユーザＩＤとの関連付けを適切に行うことができる。具体的には、本実施形態によれば、ペン設定メッセージの表示後に、電子ペン１による解答用紙５のユーザエリア５０２（登録欄）へのタップをトリガとして、電子ペン１のペンＩＤとユーザＩＤとの関連付けを適切に行うことができる。更に、本実施形態によれば、記入者は、電子ペン１で解答用紙５のユーザエリア５０２（登録欄）をタップした後であれば、集約装置２側でペンＩＤとユーザＩＤとの関連付けを行っている途中であっても、解答用紙５のユーザエリア５０１（解答欄）への記入を行うことができる。
【０１１３】
また、本実施形態によれば、特許文献３に記載されたような記入者設定用紙を用いる必要がないため、ペンＩＤとユーザＩＤとの関連付けを容易に行うことができる。ここで、特許文献３に記載された技術では、例えば１枚の記入者設定用紙を複数の記入者に回し、各記入者は記入者設定用紙が回ってきた際に電子ペン１で記入者設定用紙にタップしていたため、複数のペンＩＤと複数のユーザＩＤとの関連付けに時間がかかる傾向にあった。これに対して、本実施形態によれば、操作者側では、ペンＩＤを関連付けるべき記入者を次々に選択し、記入者側では、選択された者が電子ペン１で解答用紙５のユーザエリア５０２（登録欄）に順次タップすれば良いので、特許文献３に記載された技術と比較して、複数のペンＩＤと複数のユーザＩＤとの関連付けに要する時間を短縮することができる。
【０１１４】
このような本実施形態は、講義における出欠確認に好適に利用することができる。具体的には、操作者（講師）側では集約装置２を操作して記入者を次々に選択し、記入者（受講者）側では、スクリーン６に投影された画面を参照して選択された者を確認し、自分が選択された際に電子ペン１で解答用紙５のユーザエリア５０２（登録欄）にタップすることにより、操作者側では、記入者の選択時に記入情報が送信された電子ペン１の記入者については出席と扱い、記入者の選択時に記入情報が送信されなかった電子ペン１の記入者については欠席と扱うことができる。
【０１１５】
また、本実施形態によれば、ペンＩＤとユーザＩＤとの関連付けに先行して解答用紙５のユーザエリア５０１（解答欄）に記入し始めてしまったとしても、その後にペンＩＤとユーザＩＤとの関連付けを行えば、遡及的にユーザＩＤを設定することができる。また、本実施形態によれば、１本の電子ペン１を複数の記入者等で使う際にも、その電子ペン１のペンＩＤに対して複数のユーザＩＤを関連付ければ、記入者を識別することができる。また、本実施形態によれば、複数人から構成されるグループで、複数本の電子ペン１を持たせて本システム１０を利用する場合でも、同じグループの者のそれぞれが利用する電子ペン１のペンＩＤに対して、同じユーザＩＤを関連付ければ、同じグループに属する電子ペン１からの記入情報を、集約装置２においてグループ化し、集約することができる。また、本実施形態によれば、電子ペン１が故障して別の電子ペン１を必要とする場合や、１人の記入者が複数本の電子ペン１を使用する場合でも、電子ペン１のペンＩＤに対して同じユーザＩＤを関連付けることにより、記入情報を同じ記入者の情報として集約することができる。
【０１１６】
［変形例］
上記実施形態では、ステップＳ２０７、Ｓ５０７において、集約装置２は所定時間内に記入情報を受信した場合に（Ｙｅｓ）、ペンＩＤとユーザＩＤとの関連付け処理を行っていたが、それに限られず、時間の制限を設けず、所定本数の電子ペンから記入情報を受信することを条件としてもよい。たとえば、ペンＩＤとユーザＩＤとを１対１で関連付ける場合は、集約装置２の処理手段２４は、ステップＳ２０７、Ｓ５０７において、１本の電子ペン１から記入情報が届けば、その電子ペン１のペンＩＤを関連付けの対象とし、グループ化する場合は、集約装置２の処理手段２４は、ステップＳ２０７、Ｓ５０７において、所定の複数本の電子ペン１からの記入情報が届いた段階で、それら複数の電子ペン１のペンＩＤを同じユーザＩＤに関連付けるようにするとよい。
【０１１７】
また、上記実施形態では、電子ペン、ドットパターン（コード化パターン）、記入情報に、アノト方式を用いていたが、アノト方式を用いることに限定はされない。
【符号の説明】
【０１１８】
１（１Ａ〜１Ｄ）…電子ペン
２…集約装置
３…転送装置
４…プロジェクタ
５（５Ａ〜５Ｄ）…解答用紙
６…スクリーン
１０…電子ペンシステム
２１…入力手段
２２…集約個別受信手段
２３…集約転送受信手段
２４…集約処理手段
２５…記憶手段
２６…表示手段
２７…送信手段
【図３】
2014021911.tif 000003
【図４】
2014021911.tif 000004
【図５】
2014021911.tif 000005
【図６】
2014021911.tif 000006
【図７】
2014021911.tif 000007
【図８】
2014021911.tif 000008
【図９】
2014021911.tif 000009
【図１４】
2014021911.tif 000010
【図１５】
2014021911.tif 000011
【図１６】
2014021911.tif 000012
【図１】
2014021911.tif 000013
【図２】
2014021911.tif 000014
【図１０】
2014021911.tif 000015
【図１１】
2014021911.tif 000016
【図１２】
2014021911.tif 000017
【図１３】
2014021911.tif 000018
【図１７】
2014021911.tif 000019
【図１８】
2014021911.tif 000020
【図１９】
2014021911.tif 000021
【図２０】
2014021911.tif 000022